(57)【要約】【課題】低コストで十分な強度を有する石詰籠を提供する。【解決手段】石詰籠の正面パネル３には、上辺３２と下辺３１の間に、正面補強棒材３５が設けられている。この正面補強棒材３５は上辺３２および下辺３１と平行であり、両端は側辺３３，３３に溶接されている。そして、正面パネル３にはひし形金網８が張られている。【選択図】図３
2006037507.tif 000002
【特許請求の範囲】
【請求項１】
棒材からなる枠にひし形金網を張った金網パネルを複数枚結合させて構成された石詰籠であって、
前記金網パネルは、少なくとも底面パネルと正面パネルと背面パネルと側面パネルとを含み、
前記正面パネルは、上辺と下辺とが平行な台形または矩形の枠を有し、
前記正面パネルの前記枠は、上辺と下辺との間に該上辺および該下辺と略平行に設けられた正面補強棒材を有し、
前記正面補強棒材の両端は、前記正面パネルの前記枠の両側辺に固定されている、石詰籠。
【請求項２】
躯体強度計算により前記正面パネルの座屈強度が所定強度以上となるよう前記枠および前記正面補強棒材の径を設定している、請求項１に記載の石詰籠。
【請求項３】
前記正面補強棒材は、前記ひし形金網の１本の列線が形成する螺旋形状の中を延びている、請求項１または２に記載の石詰籠。
【請求項４】
前記背面パネルは、上辺と下辺とが平行な台形または矩形の枠を有し、
前記背面パネルの前記枠は、上辺と下辺との間に該上辺および該下辺と略平行に設けられた背面補強棒材を有し、
前記背面補強棒材の両端は、前記背面パネルの前記枠の両側辺に固定されている、請求項１から３のいずれか一つに記載の石詰籠。
【請求項５】
前記側面パネルは、上辺と下辺とが平行な台形または矩形の枠を有し、
前記側面パネルの前記枠は、上辺と下辺との間に該上辺および該下辺と略平行に設けられた側面補強棒材を有し、
前記側面補強棒材の両端は、前記側面パネルの前記枠の両側辺に固定されている、請求項１から４のいずれか一つに記載の石詰籠。
【請求項６】
棒材からなる枠にひし形金網を張った金網パネルを複数枚結合させて構成された石詰籠の内部に配置される仕切パネルであって、
上辺と下辺とが平行な台形又は矩形であって棒材からなる枠を有し、該枠の少なくとも一部にひし形金網が張られており、
前記仕切パネルの前記枠は、上辺と下辺との間に該上辺および該下辺と略平行に設けられた仕切パネル補強棒材を有し、
前記仕切パネル補強棒材の両端は、前記側面パネルの前記枠の両側辺に固定されている、仕切パネル。
【請求項７】
前記仕切パネルの前記枠は、上辺と下辺とが平行な台形の枠であり、該枠の斜辺近傍に該上辺及び該下辺とを連結し且つ当該上辺及び当該下辺と略垂直な縦棒を有し、
前記上辺と前記下辺と前記縦棒とを含む矩形の網張り枠にひし形金網が張られている、請求項６に記載の仕切パネル。
【発明の詳細な説明】
【技術分野】
【０００１】
本発明は、石詰籠及び仕切パネルに関するものである。
【背景技術】
【０００２】
土留工事および地滑り防止工事等の地盤補強工事や、護岸根固め工事および流路工事等の治水工事等には、可撓性を有し、施工が容易等の特徴を有する蛇籠、ふとん籠工法が多く用いられてきている。これらの石を詰める籠を簡単に、かつ低コストで製作する方法として、パネルを組み立てて籠を製作する方法がある。この方法は、主筋と呼ばれる棒鋼で作られた矩形や台形の枠に金網を張ったパネルを複数結合して箱型にする方法で、その中に割栗石や玉石等をいれて、蓋のパネルを上に被せて石詰籠とする。
【０００３】
図１に土留工事の例を示す。道路１０２の右側の山側斜面には、断面が矩形の石詰籠１０３が三段積まれて土留１０１となっている。上段側の石詰籠１０３は、下段の石詰籠１０３より右側にずらされて、全体が斜面に沿うように階段状に積まれている。一方、左側の谷側の斜面には、断面が台形であって、その斜辺が斜面に沿っている石詰籠１０４が三段積まれて土留１０１となっている。これら二つの土留１０１に挟まれた地盤１０５の上に道路１０２が作られている。なお、１３１は詰められた石である。
【０００４】
石詰籠１０３、１０４の背面パネル１０７は、斜面側の地山１０６に全面が接しているが、背面パネル１０７に向かい合っている正面パネル１０８は、一般に表面がむき出しの状態である。そのため、背面側からの土圧や籠を多段に積んだときの上からの圧力で、正面パネル１０８が外側に膨張変形したり主筋の座屈変形が生じる等の問題があった。
【０００５】
この問題を解決するため、従来は石詰籠の内側に棒鋼で形成した中枠を入れて、背面パネルと正面パネルとを中枠で繋ぎ、かつ中枠の縦側の棒鋼を正面パネルに結合していたが、正面パネルの膨張変形を防止するためには、中枠を多数用いる必要があり、そのように中枠を多数用いると、ショベルカー等で籠の中に石を入れるときに、中枠が邪魔になってバケットが籠の中に入らないこと等により、作業効率が悪化していた。
【０００６】
そこで、パネルを構成する枠の棒鋼の径を大きくするという方法や、矩形の正面パネルの枠に縦方向の補強棒材を設ける（枠の上辺と下辺とを繋ぐ）という方法が行われている。
【０００７】
また、正面パネルの補強のため特許文献１には、正面パネルの外面側に縦横に棒を備えた補強部材を結合させる技術が開示されている。
【特許文献１】特開２００２−３０２９５５号公報
【発明の開示】
【発明が解決しようとする課題】
【０００８】
しかしながら、枠の棒鋼の径を大きくしたり縦方向の補強棒材を設ける方法では、石詰籠が重くなって作業効率が悪くなるとともに、コストが高くなってしまう。
【０００９】
また、特許文献１に記載の技術は、補強部材をわざわざ石詰籠に結合させるための手間がかかり、作業効率が悪くなるとともに、コストが高くなってしまう。
【００１０】
さらに、これまでは石詰籠のパネルの膨張変形を防止するためのパネルのスペック、例えば枠の棒鋼の径や枠の大きさなどは、経験的に定められたものであり、その妥当性については検証されたことがなかった。けれども、最近は低コストで十分な強度の石詰籠を供給することが求められており、パネルのスペックに科学的な裏付けが求められるようになった。
【００１１】
本発明は、かかる点に鑑みてなされたものであり、その目的とするところは、低コストで十分な強度を有する石詰籠を提供することにある。
【課題を解決するための手段】
【００１２】
本発明の石詰籠は、棒材からなる枠にひし形金網を張った金網パネルを複数枚結合させて構成された石詰籠であって、前記金網パネルは、少なくとも底面パネルと正面パネルと背面パネルと側面パネルとを含み、前記正面パネルは、上辺と下辺とが平行な台形または矩形の枠を有し、前記正面パネルの前記枠は、上辺と下辺との間に該上辺および該下辺と略平行に設けられた正面補強棒材を有し、前記正面補強棒材の両端は、前記正面パネルの前記枠の両側辺に固定されている。
【００１３】
躯体強度計算により前記正面パネルの座屈強度が所定強度以上となるよう前記枠および前記正面補強棒材の径を設定していることが好ましい。
【００１４】
前記正面補強棒材は、前記ひし形金網の１本の列線が形成する螺旋形状の中を延びていることが好ましい。
【００１５】
前記背面パネルは、上辺と下辺とが平行な台形または矩形の枠を有し、前記背面パネルの前記枠は、上辺と下辺との間に該上辺および該下辺と略平行に設けられた背面補強棒材を有し、前記背面補強棒材の両端は、前記背面パネルの前記枠の両側辺に固定されていることが好ましい。
【００１６】
前記側面パネルは、上辺と下辺とが平行な台形または矩形の枠を有し、前記側面パネルの前記枠は、上辺と下辺との間に該上辺および該下辺と略平行に設けられた側面補強棒材を有し、前記側面補強棒材の両端は、前記側面パネルの前記枠の両側辺に固定されていることが好ましい。
【００１７】
本発明の仕切パネルは、棒材からなる枠にひし形金網を張った金網パネルを複数枚結合させて構成された石詰籠の内部に配置される仕切パネルであって、上辺と下辺とが平行な台形又は矩形であって棒材からなる枠を有し、該枠の少なくとも一部にひし形金網が張られており、前記仕切パネルの前記枠は、上辺と下辺との間に該上辺および該下辺と略平行に設けられた仕切パネル補強棒材を有し、前記仕切パネル補強棒材の両端は、前記側面パネルの前記枠の両側辺に固定されている。
【００１８】
前記仕切パネルの前記枠は、上辺と下辺とが平行な台形の枠であり、該枠の斜辺近傍に該上辺及び該下辺とを連結し且つ当該上辺及び当該下辺と略垂直な縦棒を有し、前記上辺と前記下辺と前記縦棒とを含む矩形の網張り枠にひし形金網が張られていることが好ましい。
【発明の効果】
【００１９】
本発明は、正面パネルの枠に水平の補強棒材が設けられているので、この補強棒材が無い場合に比べて座屈強度が大きく向上し、低コストで石詰籠の強度を大幅に上げることができる。また、仕切パネルに係る本発明では、仕切パネルの枠に水平の補強棒材が設けられているので、仕切パネルの強度が大幅に向上し、低コストで仕切パネルの強度を大きく向上させることができる。
【発明を実施するための最良の形態】
【００２０】
以下、本発明の実施形態を図面に基づいて詳細に説明する。
【００２１】
（実施形態１）
実施形態１に係る石詰籠は、６枚の矩形の金網パネルを組み合わせて形成した直方体の籠である。
【００２２】
図２は、組み立てられた石詰籠１の模式的な斜視図である。この石詰籠１は底面パネル２、正面パネル３、背面パネル６、側面パネル４，４および上面パネル５からなっている。正面パネル３と背面パネル６とは同じ構造のパネルであり、また、底面パネル２と上面パネル５とは同じ構造のパネルである。正面パネル３の構造については詳細に後述するが、各パネル２，３，４，５，６の構造を簡単に言うと、金属棒材で矩形の枠を形成し、その枠に列線を並べて金網を張ったものである。なお、枠の水平方向の中間部には補強のための補強縦筋が２つの長辺（上辺と下辺）に接続されている。各パネル２，３，４，５間の連結はＵボルトを利用した連結具７，７，…を用いて、枠の金属棒材同士を連結固定して行う。なお、図２では連結具７，７，…を極めて模式化し一部部品を省略して描いている。この石詰籠１の内部には、割栗石や玉石、コンクリート破砕物、土砂などを詰め込む。
【００２３】
図３に正面パネル３の構造を示す。正面パネル３は、棒鋼からなる上辺３２と下辺３１とを長辺とし、棒鋼からなる２本の側辺３３，３３を短辺とする矩形の枠を有していて、この枠に複数の列線９からなるひし形金網８が張られている。上辺３２と側辺３３，３３および下辺３１と側辺３３，３３とは溶接により接続されている。ひし形金網８の各列線９は、その端部が側辺３３，３３に巻き付けられて固定され、長辺である上辺３２と下辺３１とに平行に並んでいる。
【００２４】
ここでひし形金網８とは、図４，５に示すように、線材をジグザグに形成した列線９を複数本用意し、一本の列線９のジグザグの複数の山部を、もう一本の列線９のジグザグの複数の谷部に引っ掛けて、列線９同士を組み合わせて形成した金網のことで、網目がひし形の金網のことである。２本の列線９の山部と谷部がうまく引っかかって網となるように、列線９のジグザグは、列線９の延びる方向に螺旋状に形成されている。
【００２５】
また、パネルの補強のために、側辺３３，３３と平行に３本の補強縦筋３４が２本の側辺３３，３３の間に等間隔に設けられている。そして、補強縦筋３４と上辺３２及び下辺３１とは溶接により接続及び固定されている。
【００２６】
さらに正面パネル３には、上辺３２及び下辺３１との中間位置にこれらと略平行に、棒鋼からなる正面補強棒材３５設けられている。正面補強棒材３５は側辺３３，３３と溶接されて固定されているとともに、補強縦筋３４とも溶接により固定されている。また、正面補強棒材３５は、図５に示すように、列線９のジグザグを縫うようにしてひし形金網８の中を通っており、これはちょうど、正面補強棒材３５に列線９の螺旋が巻き付いている状態であり、列線９が形成する螺旋形状の中を正面補強棒材３５が延びている状態である。このようにすることにより、正面補強棒材３５と金網８とが協力しあって正面パネル３の強度を向上させている。
【００２７】
上述の構造を有する正面パネル３には、上からの力と内側からの力とがかかる。上からの力は、この石詰籠１の上に積み上げられた別の石詰籠１の荷重と土圧の鉛直方向荷重とによるものであり、この力によりパネルの枠が座屈してしまう虞がある。また、内側からの力は、背面からの土圧により籠内部の石などがパネルを外側に押す力であり、この力がひし形金網８を介して枠に作用することにより枠が曲がってしまう虞がある。一般に金網パネルは、枠が曲がってしまう内側からの力よりも小さな上からの力で座屈を生じる場合が多いので、十分な座屈強度を有するように正面パネル３の構造を設計する必要がある。
【００２８】
発明者らは、種々検討を重ねた結果、下記の式（１）により金網パネルの座屈強度を計算することができ評価できることを見出した。
【００２９】
Ｐ＝ＥＩ（ｎπ／ｌ）2＋ｋ（ｌ／ｎπ）2  （N/m）・・・（１）
Ｅ：枠部の曲げ剛性、ｋ：金網のバネ定数、Ｉ：断面２次モーメント
ｌ：近接する２本の水平棒間距離、ｎ：座屈の分岐モードを決定する値＝１，２or３
上記のＥは棒材の材料によって決まる値であり、Ｉは棒材の径によって決まり、ｋは金網の線径と列線のジグザグの形状とによって決まる値である。
【００３０】
式（１）を用いて、図３の正面パネル３の座屈強度および正面補強棒材を用いないで棒鋼の径を大きくしたり補強縦筋を増やす等の変更をしたパネルの座屈強度を表１に示す。なお、パネルの水平方向長さ（上辺及び下辺の長さ）は４ｍ、パネルの高さ（上辺と下辺間の距離）は１ｍである。
【００３１】
【表１】
2006037507.tif 000003
【００３２】
従来タイプは、枠および３本の補強縦筋が全て１３ｍｍ径の棒鋼であり正面補強棒材の無いパネルである。補強Ａタイプは、枠および３本の補強縦筋が全て１６ｍｍ径の棒鋼であり正面補強棒材の無いパネルである（即ち、従来タイプの棒鋼の径を大きくしたもの）。補強Ｂタイプは、枠および補強縦筋が全て１３ｍｍ径の棒鋼であり正面補強棒材が無く且つ補強縦筋が５０ｃｍピッチで７本あるパネルである（即ち、従来タイプに補強縦筋を増やしたもの）。実施形態１のパネルは、枠および補強縦筋が全て１３ｍｍ径の棒鋼であり、１３ｍｍ径の正面補強棒材が下辺から５０ｃｍの高さにあるパネルである（即ち、従来タイプに正面補強棒材を加えたもの）。全てのパネルに、８ｍｍ径の線材を用いた１５０ｍｍ目のひし形金網が用いられている。
【００３３】
また、強度割合は、実施形態１のパネルの座屈強度を１としたときの相対値を表しており、重量割合は実施形態１のパネルの重量を１としたときの相対値を表している。
【００３４】
表１から判るように、上からの力に抗するため補強縦筋を増やして縦方向の棒材の設置ピッチを１／２としても（補強Ｂタイプ）、強度割合は０．４から０．５２と従来タイプに対して１．３倍しか増さない。この時の重量増加は１．１３倍である。また、棒材の径を１３から１６ｍｍにすると（補強Ａタイプ）、強度は従来タイプの１．７７倍、重量は１．１９倍となる。ところが、驚くべきことに従来タイプに水平の正面補強棒材を加えるだけで（実施形態１）、従来タイプに比べて強度が２．５倍と大幅に増し、重量は１．１３倍という小さな増加となる。
【００３５】
従来は、座屈強度を向上させるには上からの力に対向するため、補強縦筋の本数を増やしたり棒径を大きくしたりすることだけを考えていた。しかし、本願発明者らは金網パネルの座屈強度を躯体強度計算によって算出することを初めて行い、それによって補強縦筋の本数を増やしたり棒径を大きくしたりすることなく、水平の補強棒材を設けることで大幅な強度アップを図ることができることを初めて見出したのである。また、従来は水平方向の棒材を金網の列線を縫うように、即ち列線が形成する螺旋形状の中を棒材が延びている状態とすることは困難であると考えられていたことからも、水平の補強棒材を設けるという考えはなかったが、列線のジグザグのピッチ（目）を調整することにより、列線が形成する螺旋形状の中を棒材が延びている状態とすることが可能となった。
【００３６】
このように躯体強度計算を用いることにより、最小限の補強材の追加（つまり最小限の重量増、材料費増）で座屈強度の大幅増を達成することができ、またオーバースペックとならない適正な強度の石詰籠を作成することができる。具体的には、矩形の枠に水平な補強棒材を加えることにより座屈強度が大幅に向上するので、必要とされる座屈強度（所定強度）を満たすように、枠及び補強棒材の径を躯体強度計算から求めて設定する。ここでは、材料の棒鋼の径を１３ｍｍとした。オーバースペックとならない適正な強度の石詰籠を作成することで、工事コストを最小にすることができる。
【００３７】
本実施形態においては、背面パネル６にも正面パネル３と同様に水平の背面補強棒材を設けており、側面パネル４，４にも水平の側面補強棒材を設けている。従って、背面パネル６および側面パネル４，４も座屈強度が大きく向上している。背面パネル６は背面の土壁に接触しているため、内部の石がパネルを外側に押す力は土壁が押し返す力とバランスして、正面パネル３よりは低い強度に設定しても良いが、座屈強度に関しては正面パネル３と同程度の強度が必要であると考えられるので、このように背面補強棒材を設けることがコスト的に好ましい。背面パネル６や側面パネル４，４においても枠を構成する棒材及び各補強棒材の径は、、躯体強度計算により所定強度以上となるように設定されている。
【００３８】
本実施形態においては、補強縦筋３４と正面補強棒材３５，背面補強棒材、側面補強棒材とは溶接により固定をしているが、その他の固定方法、例えばＵボルトを２本と２つの貫通孔が設けられた平板２枚とを用いた固定方法により固定を行っても良い。
【００３９】
（実施形態２）
実施形態２の石詰籠は、図６に示すように、側面パネル１４が台形で他のパネルは矩形である石詰籠１１である。この石詰籠１１は、図１の道路１０２よりも下側に設けられている石詰籠１０４と同じ形状のもので、正面パネル１３が斜面である法面となる。なお、図６では連結具を極めて模式化し一部部品を省略して描いている。
【００４０】
このように正面パネル１３が斜面をなしていても躯体強度計算をしたところ、水平な正面補強棒材３５を設けることで実施形態１と同様に座屈強度が大幅にアップした。台形の側面パネル１４についても、水平な側面補強棒材４５を設けることで、同じように座屈強度が大幅に向上している。なお、背面パネルにも同様に水平な背面補強棒材が設けられている。これらの補強棒材およびパネルの枠を構成する棒材は、躯体強度計算により所定強度以上となるように径を設定している。
【００４１】
本実施形態の石詰籠１１は、さらにその内部に図８に示す仕切パネル６１を有している。仕切パネル６１は側面パネル１４と同じ台形の棒材からなる枠を有している。そして、石詰籠１１の内部であって、仕切パネル６１の斜辺５６が正面パネル１３の補強縦筋３４に、仕切パネル６１の上辺５２が上面パネルの補強縦筋２４に、仕切パネル６１の側辺５３が背面パネルの補強縦筋に、仕切パネル６１の下辺５１が底面パネルの補強縦筋に、それぞれ沿うように隣接しておかれるとともに、仕切パネル６１の各辺と各パネルの補強縦筋とがＵボルトなどで固定される。このように固定されることで、仕切パネル６１は正面パネル１３、上面パネルおよび背面パネルを支えることになり、正面パネル１３および背面パネルの座屈強度を向上させることができ、水平荷重に対する強度を向上させる。
【００４２】
本実施形態の仕切パネル６１を図７に示す従来の仕切パネル６０と比較して説明する。
【００４３】
従来の仕切パネル６０は、棒鋼で構成された台形の枠にひし形金網を張り、斜辺５６と側辺５３の略中間に補強縦筋５４を設けている。補強縦筋５４の両端は、上辺５２及び下辺５１と溶接されている。一方本実施形態の仕切パネル６１は、棒鋼で構成された台形の枠に、さらに斜辺５６の近傍であって上辺５２および下辺５１と略垂直な縦枠筋５８（縦棒）を有しており、ひし形金網８は上辺５２、下辺５１、側辺５３および縦枠筋５８が構成する矩形の網張り枠に張られている。縦枠筋５８の両端は、それぞれ上辺５２、下辺５１に溶接されている。それから、本実施形態の仕切パネル６１は、上辺５２と下辺５１の間に、側辺５３と斜辺５６とを結び、上辺５２および下辺５１と略水平な仕切パネル補強棒材５５を有している。仕切パネル補強棒材５５の両端はそれぞれ側辺５３、斜辺５６に溶接されている。また、仕切パネル補強棒材５５と補強縦筋５４および縦枠筋５８とは溶接されている。そして、列線９が形成する螺旋形状の中を仕切パネル補強棒材５５が延びている。
【００４４】
このように本実施形態の仕切パネル６１は、仕切パネル補強棒材５５を有しているので、従来の仕切パネル６０に比べて座屈強度が向上し、また水平荷重に対抗する強度も向上している。本実施形態の仕切パネル６１の枠を構成する棒材および仕切パネル補強棒材５５の径は、躯体強度計算により所定強度以上となるように設定されている。
【００４５】
本実施形態の石詰籠１１は、また、縦枠筋５８を設けて矩形枠にひし形金網８を張っているので従来よりも金網が張りやすいのとともに、正面パネル１３と連結させる斜辺５６に列線のカール部分（からみつき部分）がないため、連結金具の取付位置を自由に選ぶことができる。さらに、斜辺５６近辺に金網８が張られていないため、正面パネル１３と仕切パネル６１の連結部近傍（特に底面パネルに近い部分）に石を詰める作業が容易になる。これらの効果を発揮させるため、上辺５２における斜辺５６と縦枠筋５８との距離Ｌは、１ｃｍ以上２０ｃｍ以下が好ましいが、Ｌは０ｃｍでも構わない。
【００４６】
これまで説明した実施形態は本発明の例示であり、本発明はこれらの実施形態に限定されない。上記の実施形態では、正面パネル、側面パネルおよび背面パネルの全てに水平の補強棒材を設置しているが、少なくとも正面パネルに補強棒材が設置されていれば他のパネルには補強棒材が無くても構わない。
【００４７】
正面パネルおよび背面パネルは、上辺と下辺とが水平な台形の枠にひし形金網を張ったものでもよい。
【００４８】
また、正面パネルの下辺を底面パネルの長辺として共通とすることにより、正面パネルと底面パネルを一体化しても構わないし、同様に背面パネルと底面パネルを一体化してもよい。さらに、側面パネルと底面パネルとを一体化しても良い。
【００４９】
実施形態２において、側面パネルは斜辺が一つのみの台形であるが、斜辺が２つの台形であっても構わない。この場合には背面パネルも剥き出しとなって正面パネルの役割を果たすことがある。
【００５０】
各パネルの大きさは、特に限定されない。例えば実施形態１の正面パネルは４ｍ×１ｍのものであるが、幅は４ｍよりも短くても良いし、４ｍよりも長くてもよい。高さも１ｍよりも短くても良いし、１ｍよりも長くても良い。補強縦筋の本数や、設置位置も特に限定されない。また、水平な各補強棒材も２本以上設置しても構わない。さらに各辺同士の接続や補強棒材との接続固定方法は溶接に限定されない。パネルの枠を棒鋼を曲げて作成してもよい。
【００５１】
各棒材やひし形金網には防錆加工が施されていることが好ましい。防錆加工としては例えば亜鉛メッキを挙げることができる。
【００５２】
また、実施形態１において石詰籠の中に仕切パネルを入れてもよい。この時仕切パネルは矩形の枠に金網を張ったパネルであっても良いし、金網を張っていない枠のみでも構わない。また、矩形の枠に水平な仕切パネル補強棒材を設置することが好ましい。
【００５３】
なお、上面パネルは無くても良く、石詰籠を何段も重ねていく場合には、上の籠の底面パネルを下の籠の上面パネルと兼用させてもよい。
【産業上の利用可能性】
【００５４】
以上説明したように、本発明に係る石詰籠は、低コストで座屈強度が大きく増しており、地盤補強用や治水工事用等として有用である。
【図面の簡単な説明】
【００５５】
【図１】石詰籠を用いた土留工事現場の模式的な断面図である。
【図２】実施形態１に係る石詰籠の斜視図である。
【図３】実施形態１に係る正面パネルを示す図である。
【図４】列線を示す図である。
【図５】列線および補強棒材を示す図である。
【図６】実施形態２に係る石詰籠の斜視図である。
【図７】従来の仕切パネルを示す図である。
【図８】実施形態２に係る仕切パネルを示す図である。
【符号の説明】
【００５６】
１，１１，１０３，１０４    石詰籠
２                          底面パネル
３，１３，１０８            正面パネル
４，１４                    側面パネル
５                          上面パネル
６                          背面パネル
８                          ひし形金網
９                          列線
３１                        正面パネルの下辺
３２                        正面パネルの上辺
３３                        正面パネルの側辺
３５                        正面補強棒材
４５                        側面補強棒材
５１                        仕切パネルの下辺
５２                        仕切パネルの上辺
５３                        仕切パネルの側辺
５５                        仕切パネル補強棒材
５６                        仕切パネルの斜辺
５８                        縦枠筋
６１                        仕切パネル
【図１】
2006037507.tif 000004
【図２】
2006037507.tif 000005
【図３】
2006037507.tif 000006
【図４】
2006037507.tif 000007
【図５】
2006037507.tif 000008
【図６】
2006037507.tif 000009
【図７】
2006037507.tif 000010
【図８】
2006037507.tif 000011